【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
創傷上に配置されるように構成された折畳可能シートを含む創傷閉鎖装置であって、前記折畳可能シートが、
上層および下層と、
前記上層と前記下層によって少なくとも部分的に画定された複数のセルであって、隣り合わせに配列された、複数のセルと、
を含み、
前記セルそれぞれが、モザイク形状を有し、
複数の前記セルのうちの少なくとも一つが、折畳可能構造の垂直面で折り畳まれ、それによって前記折畳可能シートが折り畳まれるように構成される、創傷閉鎖装置。
【請求項２】
前記セルの少なくとも一部が膨張可能である、請求項１に記載の創傷閉鎖装置。
【請求項３】
前記上層および前記下層のうちの少なくとも一方が、可撓性の薄膜材料を含む、請求項１または２に記載の創傷閉鎖装置。
【請求項４】
前記セルの少なくとも一部が、陰圧を前記折畳可能シートにかけた時に折り畳まれるように構成される、請求項１〜３のいずれか一項に記載の創傷閉鎖装置。
【請求項５】
少なくとも一つのセルが六角形状を有する、請求項１〜４のいずれか一項に記載の創傷閉鎖装置。
【請求項６】
複数の前記セルが均一なサイズおよび形状を有する、請求項１〜５のいずれか一項に記載の創傷閉鎖装置。
【請求項７】
複数の前記セルの少なくとも一部が不均一なサイズおよび／または形状を有する、請求項１〜５のいずれか一項に記載の創傷閉鎖装置。
【請求項８】
前記折畳可能シートがセル壁をさらに含む、請求項１〜７のいずれか一項に記載の創傷閉鎖装置。
【請求項９】
前記セル壁が膨張可能である、請求項８に記載の創傷閉鎖装置。
【請求項１０】
前記折畳可能シートが、任意の特定の前記セルの折り畳みに際して、前記折畳可能シートが折り畳まれる方向を示すように構成された一以上の前記セル上の指標をさらに含む、請求項１〜９のいずれか一項に記載の創傷閉鎖装置。
【請求項１１】
前記折畳可能シートが、前記創傷を覆い、前記創傷の周りに封止を形成するように構成される、請求項１〜１０のいずれか一項に記載の創傷閉鎖装置。
【請求項１２】
前記創傷に陰圧を供給するように構成された吸引ポートをさらに含み、任意で、
前記ポートが前記折畳可能シートに一体化される、請求項１〜１１のいずれか一項に記載の創傷閉鎖装置。
【請求項１３】
前記ポートが、バルブを含み、
前記バルブが、創傷流体の吸収速度が創傷流体の蒸発速度よりも速い場合に、膨張して前記バルブを少なくとも部分的に閉めるように構成された超吸収性材を含む、請求項１２に記載の創傷閉鎖装置。
【請求項１４】
前記折畳可能シートの底面が、前記セル間の一以上の間隙を含む、請求項１〜１３のいずれか一項に記載の創傷閉鎖装置。
【請求項１５】
前記折畳可能シートの下で前記創傷上に位置付けられるように構成された組織保護層をさらに含む、請求項１〜１４のいずれか一項に記載の創傷閉鎖装置。
【請求項１６】
前記折畳可能シートを覆い、前記創傷の周りで封止を形成するように構成された一以上のドレープをさらに含む、請求項１〜１５のいずれか一項に記載の創傷閉鎖装置。
【手続補正２】
【補正対象書類名】明細書
【補正対象項目名】００６１
【補正方法】変更
【補正の内容】
【００６１】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷上に配置されるように構成された折り畳み可能シートを含む創傷閉鎖装置であって、前記折り畳み可能シートが、
上層と下層、および、
前記上層と前記下層によって少なくとも部分的に画定され、隣り合わせに配列された複数のセルを含み、
各セルがモザイク形状を有し、
前記複数のセルのうちの少なくとも一つが、前記折り畳み可能構造の垂直面で折り畳まれ、それによって前記折り畳み可能シートが折り畳まれるように構成される、創傷閉鎖装置。
［付記項２］
前記セルの少なくとも一部が膨張可能である、付記項１に記載の装置。
［付記項３］
前記上層または前記下層のうちの少なくとも一つが、可撓性の薄膜材料を含む、付記項１または２に記載の装置。
［付記項４］
前記セルの少なくとも一部が、陰圧が前記折り畳み可能シートに適用された時に折り畳まれるように構成される、付記項１〜３のいずれか一項に記載の装置。
［付記項５］
少なくとも一つのセルが六角形状を有する、付記項１〜４のいずれか一項に記載の装置。
［付記項６］
前記複数のセルが均一なサイズおよび形状を有する、付記項１〜５のいずれか一項に記載の装置。
［付記項７］
前記複数のセルの少なくとも一部が不均一なサイズおよび／または形状を有する、付記項１〜５のいずれか一項に記載の装置。
［付記項８］
前記折り畳み可能シートがセル壁をさらに含む、付記項１〜７のいずれか一項に記載の装置。
［付記項９］
前記セル壁が膨張可能である、付記項８に記載の装置。
［付記項１０］
前記折り畳み可能シートが、任意の特定のセルの折り畳みに際して、前記折り畳み可能シートが折り畳まれる方向を示すように構成された一つ以上のセル上の指標をさらに含む、付記項１〜９のいずれか一項に記載の装置。
［付記項１１］
前記折り畳み可能シートが、前記創傷を覆い、前記創傷の周りに封止を形成するように構成される、付記項１〜１０のいずれか一項に記載の装置。
［付記項１２］
前記創傷に陰圧を供給するように構成された吸引ポートをさらに含む、付記項１〜１１のいずれか一項に記載の装置。
［付記項１３］
前記ポートが前記折り畳み可能シートに一体化される、付記項１２に記載の装置。
［付記項１４］
前記ポートが、バルブであって、創傷流体の吸収速度が創傷流体の蒸発速度よりも速い場合に、膨張して前記バルブを少なくとも部分的に閉めるように構成された超吸収性材を含むバルブをさらに含む、付記項１２または１３に記載の装置。
［付記項１５］
前記折り畳み可能シートの底面が、セル間の一つ以上の間隙を含む、付記項１〜１４のいずれか一項に記載の装置。
［付記項１６］
前記折り畳み可能シートの下で前記創傷上に位置付けられるように構成された組織保護層をさらに含む、付記項１〜１５のいずれか一項に記載の装置。
［付記項１７］
前記折り畳み可能シートを覆い、前記創傷の周りで封止を形成するように構成された一つ以上のドレープをさらに含む、付記項１〜１６のいずれか一項に記載の装置。
［付記項１８］
創傷を治療する方法であって、
前記付記項１〜１７のいずれか一項に記載の折り畳み可能シートを、前記創傷上に配置することを含む、方法。
［付記項１９］
前記折り畳み可能シートを通して陰圧を前記創傷に適用するかまたは適用を発生させることをさらに含み、
前記陰圧の適用によって、前記折り畳み可能シートが折り畳まれる、付記項１８に記載の方法。
［付記項２０］
前記折り畳み可能シートを配置する前に、前記創傷上に組織保護層を配置することをさらに含む、付記項１８または１９に記載の方法。
［付記項２１］
実質的に示されおよび／または説明される装置。
［付記項２２］
実質的に示されおよび／または説明される方法。